(57)【要約】【課題】  密封性能の向上を図ったグロメットを提供する。【解決手段】  等速ジョイント用ブーツの一端側で、ブーツと締め付けバンドとの間に装着されるグロメット３００であって、ブーツの一端側の外周形状に適合する非円形の内周面と、略円形の外周面とを有し、周方向の１箇所にて分離された分離部３１０を有するグロメット３００において、グロメット３００がブーツの外周に装着され、かつ、締め付けバンドによる締め付け前の状態では、分離部３１０にて分離された両端部は、それらの先端付近が先端に向かうにつれてブーツの外周表面から離れるように構成されている。【選択図】  図２
2006105243.tif 000002
【特許請求の範囲】
【請求項１】
等速ジョイント用ブーツの一端側で、該ブーツと締め付けバンドとの間に装着されるグロメットであって、
前記ブーツの一端側の外周形状に適合する非円形の内周面と、略円形の外周面とを有し、周方向の１箇所にて分離された分離部を有するグロメットにおいて、
該グロメットが前記ブーツの外周に装着され、かつ、前記締め付けバンドによる締め付け前の状態では、前記分離部にて分離された両端部は、それらの先端付近が先端に向かうにつれて前記ブーツの外周表面から離れるように構成されていることを特徴とするグロメット。
【請求項２】
等速ジョイント用ブーツの一端側で、該ブーツと締め付けバンドとの間に装着されるグロメットであって、
前記ブーツの一端側の外周形状に適合する非円形の内周面と、略円形の外周面とを有し、周方向の１箇所にて分離された分離部を有するグロメットにおいて、
前記分離部にて分離された両端部は、それらの先端の内周面側に面取りが形成されていることを特徴とするグロメット。
【請求項３】
等速ジョイント用ブーツの一端側で、該ブーツと締め付けバンドとの間に装着されるグロメットであって、
前記ブーツの一端側の外周形状に適合する非円形の内周面と、略円形の外周面とを有し、周方向の１箇所にて分離された分離部を有するグロメットにおいて、
前記略円形の外周面には、その表面上に締め付けバンドとの接触面積を低減させる単数又は複数の凸部が設けられていることを特徴とするグロメット。
【請求項４】
前記グロメットが前記ブーツの外周に装着され、かつ、前記締め付けバンドによる締め付け前の状態では、前記分離部にて分離された両端部は、それらの先端付近が先端に向かうにつれて前記ブーツの外周表面から離れるように構成されていることを特徴とする請求項３に記載のグロメット。
【請求項５】
前記両端部は、それらの先端付近が平面状に構成されていることを特徴とする請求項４に記載のグロメット。
【請求項６】
前記分離部にて分離された両端部は、それらの先端の内周面側に面取りが形成されていることを特徴とする請求項３，４または５に記載のグロメット。
【発明の詳細な説明】
【技術分野】
【０００１】
本発明は、等速ジョイント用ブーツに装着されるグロメットに関するものである。
【背景技術】
【０００２】
等速ジョイントには、ジョイント内部に潤滑剤（一般的には、グリース）を封じ込め、かつ、ジョイント内部への水や泥などの侵入を防ぐために、ブーツが装着される。ここで、等速ジョイントは、互いの交差角度が変化可能に設けられた入力軸と出力軸を、入力軸から出力軸へ等速回転を伝えることができるようにジョイントするものである。また、等速ジョイントにおいては、一方の軸に、ベアリング部品を収納するハウジング（アウタレース）が設けられている。そして、上述のブーツは、その一端がハウジングに固定され、その他端が他方の軸に固定される。これらの固定部においては、上述の通り、潤滑剤を封じ込める等の目的のため、密封性能が要求される。
【０００３】
上述の入力軸側ハウジングにおいては、軽量化と静粛性の確保を目的として、必要以上の肉厚をなくすために、トリポード形状としたもの（特許文献１，２参照）が使用されるようになってきた。ここで、トリポード形状とは、円形に対して円の中心点側に曲線状（円弧状）に凹んだ凹み部が等間隔に３箇所設けられた形状である。すなわち、トリポード形状は、等間隔に設けられる３箇所の円弧部と各円弧部間にそれぞれ設けられる３箇所の凹み部とを有する形状である。また、上述のブーツは、軽量化を目的として、熱可塑性樹脂から成るものが開発されている。熱可塑性樹脂から成るブーツは、一般的にブロー成形によって製造される。この成形法によれば、一般的に中子は用いられず、中子を用いない場合には、ブーツの円周方向の部分部分で肉厚を変えることは難しい。このため、熱可塑性樹脂のブーツの場合には、一般的に、ゴム製の場合とは異なり、ブーツの一端側（ハウジングへの固定側）は、内側と外側のいずれもトリポード形状としている。
【０００４】
そして、熱可塑性樹脂から成るブーツとハウジングとの間の密封性能を高めるために、ブーツの外側には、トリポード形状の内周面と円形の外周面を有する樹脂製のグロメットが装着され、更に、その外側に、金属製のバンドが締め付けられる。しかしながら、このようなグロメットを用いたとしても、密封性能を十分に高めるのは技術的に難しく、如何に密封性能を高めることができるかが課題となっている。この点について、図７〜図１０を参照して説明する。図７は従来例に係るグロメットが装着された状態を示す模式的断面図である。図８はバンドによってグロメットが締め付けられた状態を示す図である。なお、図８は図７の一部を拡大した図に相当する。図９は従来例に係るグロメットが装着された状態を示す模式的断面図である。図１０はバンドによってグロメットが締め付けられた状態を示す図である。なお、図１０は図９の一部を拡大した図に相当する。
【０００５】
バンドによってグロメットを締め付ける場合に、グロメットを全体的に均一な力で締め付けるのは難しく、特に、上述した凹み部付近において潤滑剤が漏れ易いことが確認されている。このような漏れの発生は、以下のメカニズムが推定される。
【０００６】
図７はグロメットが装着された部分において、ブーツの中心軸に対して垂直な面で切断した断面図を示す。図示のように、ブーツ２００の外周側にグロメット３５０が装着され、グロメット３５０の外周に締め付けバンド４００が締め付けられる。また、図から分かるように、グロメット３５０は、その外周面が円形であるのに対して、内周面はブーツ２００の外周形状に沿った形状となっている。従って、グロメット３５０は３箇所に内側に向かって突出する凸部３５１を有している。また、グロメット３５０には、周方向の１箇所にて分離された分離部３５２が設けられている。この分離部３５２が設けられている理
由の一つとしては、グロメット３５０が、締め付けバンド４００によって締め付けられた場合に縮径されるようにすることが挙げられる。
【０００７】
ここで、締め付けバンド４００による締め付け前において、締め付けバンド４００，グロメット３５０，ブーツ２００、及びハウジング１００を正確に位置決めすることは難しく、グロメット３５０の凸部３５１と、ブーツ２００及びハウジング１００における凸部３５１に対応する部分（凹み部）には多少の位置ずれが生じ易い。そのため、締め付けバンド４００の締め付け後に、ブーツ２００とハウジング１００との間の締め付け力が不均一となり、締め付け力が不十分な箇所から潤滑剤の漏れが生じる場合がある。
【０００８】
通常、初期的に存在する各部材間の位置ずれは、締め付けバンド４００による締め付け時に、締め付けにしたがって修正されていく。しかしながら、このような位置ずれの修正が、各部材間の摩擦抵抗や、分離部３５２によって分離された端部のブーツ２００に対する食い込みによって阻害されることがある。すなわち、締め付けバンド４００とグロメット３５０との間、グロメット３５０とブーツ２００との間、及びブーツ２００とハウジング１００との間に生じる摩擦力によって、グロメット３５０の動き（回転）が阻害されることがある。また、グロメット３５０の分離部３５２によって分離された端部が、ブーツ２００に対して食い込んでしまうことで、締め付けバンド４００による締め付け時に、グロメット３５０の移動方向（回転方向）に方向性が生じる場合がある。以上により、各部材の位置ずれの修正が阻害されてしまうことがある。
【０００９】
ここで、グロメット３５０の移動方向に方向性が生じる場合について、更に、詳細に説明する。上記のように構成されるグロメット３５０においては、一般的に、周方向に対して局所的な押し付け力の偏りが生じると、内側に向かって突出する凸部３５１の周方向の両端部（図７中丸で囲った部分（６箇所））付近において、潤滑剤の漏れが発生し易い。
【００１０】
図７は、締め付けバンド４００を締め付けるためのクランプ４０１が、グロメット３５０の分離部３５２の近くに位置した場合を示している。そして、図８は、そのような場合において、締め付けバンド４００を締め付けたときの分離部３５２付近の様子を示している。
【００１１】
図８に示すように、Ω（オメガ）形状のクランプ４０１が、治具６００によって両側から挟み込まれると（図中、矢印Ｓ）、締め付けバンド４００は、クランプ４０１の方向に向かって引っ張られる。これにより、締め付けバンド４００は縮径する。
【００１２】
従って、グロメット３５０も、締め付けバンド４００により締め付けられて縮径する。このとき、グロメット３５０には、ブーツ２００と締め付けバンド４００による径方向への圧縮力と、周方向への圧縮力又は引張力（締め付けバンド４００から受ける摩擦力や径方向への圧縮力によって周方向に作用する力などによって作用する力）が作用する。ここで、図８に示すように、クランプ４０１の中心と分離部３５２の中心とが距離ｌだけずれていたとする。すると、このずれにより、締め付けバンド４００の締め付け時にグロメット３５０に作用する圧縮力は、図中分離部３５２よりも左側の圧縮力Ｆ１よりも右側の圧縮力Ｆ２の方が大きくなる（Ｆ１＜Ｆ２）。そのため、分離部３５２により分離された両端部においては、図８中、左側の端部よりも右側の端部の方が、ブーツ２００に対する食い込み方が大きくなる（図８中、矢印Ｘで示す部分に食い込みが発生する）。これにより、グロメット３５０に対して周方向に働く力が作用した場合に、分離部３５２よりも右側の方の抵抗力が大きくなる。それゆえ、グロメット３５０は、周方向でバンド締め付けにより一方向に極端にトルクが発生した場合、例えば、締め付けバンド４００による締め付け時に、図７，８中時計回り方向（図８中、矢印Ｔ方向）にずれてしまうことがある。
【００１３】
以上のことは、図７において、丸で囲った６箇所のうち、Ｐで示した３箇所において、潤滑剤の漏れが発生し易いことからも裏付けられる。すなわち、グロメット３５０が時計回り方向にずれてしまうために、凸部３５１のうち時計回りとは反対方向の端部において、ブーツ２００に対する押圧力が低下してしまうことが、Ｐで示した３箇所において密封機能が損なわれている原因と考えられる。
【００１４】
更に、上記のことは、次のような検証によっても裏付けることができる。図９は、締め付けバンド４００を締め付けるためのクランプ４０１が、グロメット３５０の分離部３５２から１８０°ずれた場所に位置した場合を示している。そして、図１０は、そのような場合において、締め付けバンド４００を締め付けたときの分離部３５２付近の様子を示している。
【００１５】
この場合には、締め付けバンド４００の締め付け時にグロメット３５０に作用する径方向の圧縮力については、図中分離部３５２よりも左側の圧縮力Ｆ１と右側の圧縮力Ｆ２は略等しくなる（Ｆ１≒Ｆ２）。そのため、分離部３５２により分離された両端部においては、図１０中、左側の端部と右側の端部によるブーツ２００に対する食い込み方は略等しくなる。従って、締め付けバンド４００の締め付け時に、グロメット３５０の周方向へのずれは発生せず、潤滑剤の漏れはほとんど発生しない。
【００１６】
以上のように、摩擦力およびグロメット３５０における分離部３５２により分離された両端部のブーツ２００に対する食い込み方にばらつきが生じることが、グロメット配置の修正を阻害し、ブーツとハウジングの接触状態を不均一とし、密封性能を低下させる要因となっていると考えられる。
【特許文献１】特開２００４−６０８９３号公報
【特許文献２】特開平２−２７８０２０号公報
【発明の開示】
【発明が解決しようとする課題】
【００１７】
本発明の目的は、密封性能の向上を図ったグロメットを提供することにある。
【課題を解決するための手段】
【００１８】
本発明は、上記課題を解決するために以下の手段を採用した。
【００１９】
すなわち、本発明は、
等速ジョイント用ブーツの一端側で、該ブーツと締め付けバンドとの間に装着されるグロメットであって、
前記ブーツの一端側の外周形状に適合する非円形の内周面と、略円形の外周面とを有し、周方向の１箇所にて分離された分離部を有するグロメットにおいて、
該グロメットが前記ブーツの外周に装着され、かつ、前記締め付けバンドによる締め付け前の状態では、前記分離部にて分離された両端部は、それらの先端付近が先端に向かうにつれて前記ブーツの外周表面から離れるように構成されていることを特徴とする。
【００２０】
本発明によれば、分離部にて分離された両端部は、それらの先端付近が先端に向かうにつれて、ブーツの外周表面から離れるように構成されているので、締め付けバンドによる締め付け時に、これらの先端がブーツに対して食い込んでしまうことを抑制できる。従って、締め付けバンドによる締め付けにより、グロメットがブーツに対して周方向にずれてしまうことを抑制できる。
【００２１】
また、本発明は、
等速ジョイント用ブーツの一端側で、該ブーツと締め付けバンドとの間に装着されるグ
ロメットであって、
前記ブーツの一端側の外周形状に適合する非円形の内周面と、略円形の外周面とを有し、周方向の１箇所にて分離された分離部を有するグロメットにおいて、
前記分離部にて分離された両端部は、それらの先端の内周面側に面取りが形成されていることを特徴とする。
【００２２】
本発明によれば、分離部にて分離された両端部は、それらの先端の内周面側に面取りが形成されているので、締め付けバンドによる締め付け時に、これらの先端がブーツに対して食い込んでしまうことを抑制できる。従って、締め付けバンドによる締め付けにより、グロメットがブーツに対して周方向にずれてしまうことを抑制できる。
【００２３】
更に、本発明は、
等速ジョイント用ブーツの一端側で、該ブーツと締め付けバンドとの間に装着されるグロメットであって、
前記ブーツの一端側の外周形状に適合する非円形の内周面と、略円形の外周面とを有し、周方向の１箇所にて分離された分離部を有するグロメットにおいて、
前記略円形の外周面には、その表面上に締め付けバンドとの接触面積を低減させる単数又は複数の凸部が設けられていることを特徴とする。
【００２４】
本発明によれば、グロメットが締め付けバンドによる摩擦力によって引っ張られる力が抑制されるため、締め付けバンドによる締め付け時に、グロメットの動きが円滑になり、グロメットの配置の修正が適切に行われる。
【００２５】
前記グロメットが前記ブーツの外周に装着され、かつ、前記締め付けバンドによる締め付け前の状態では、前記分離部にて分離された両端部は、それらの先端付近が先端に向かうにつれて前記ブーツの外周表面から離れるように構成されているとよい。
【００２６】
このような構成により、分離部にて分離された両端部は、それらの先端付近が先端に向かうにつれて、ブーツの外周表面から離れるように構成されているので、締め付けバンドによる締め付け時に、これらの先端がブーツに対して食い込んでしまうことを抑制できる。従って、締め付けバンドによる締め付けにより、グロメットがブーツに対して周方向にずれてしまうことを抑制できる。
【００２７】
ここで、前記両端部は、それらの先端付近が平面状に構成されているとよい。
【００２８】
このように構成することで、両端部の各先端付近は、先端に向かうにつれて、ブーツの外周表面から離れるように構成される。なお、先端付近の曲率半径をブーツの外周面の曲率半径よりも大きくしたり、先端付近を外側に反らすように湾曲させたりすることによっても、両端部の各先端付近を、先端に向かうにつれて、ブーツの外周表面から離れるように構成させることができる。
【００２９】
前記分離部にて分離された両端部は、それらの先端の内周面側に面取りが形成されているとよい。
【００３０】
これにより、両端部の各先端がブーツに対して食い込んでしまうことをより一層抑制できる。
【００３１】
なお、上記各構成は、可能な限り組み合わせて採用し得る。
【発明の効果】
【００３２】
以上説明したように、本発明によれば、密封性能の向上を図ることができる。
【発明を実施するための最良の形態】
【００３３】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【実施例１】
【００３４】
図１〜図３を参照して、本発明の実施例１に係るグロメットについて説明する。図１は等速ジョイントのジョイント部を示す斜視図である。図２は本発明の実施例１に係るグロメットの斜視図である。図３は本発明の実施例１に係るグロメットが締め付けられた状態を示す図である。なお、図３はグロメットが装着された部分において、ブーツの中心軸に対して垂直な断面で切断した断面図（ハウジングについては省略）の一部である。
【００３５】
＜等速ジョイントの全体説明＞
特に、図１を参照して、本発明の実施例に係るグロメットが用いられる等速ジョイントについて説明する。等速ジョイントは、互いの交差角度が変化可能に設けられた入力軸と出力軸を、入力軸から出力軸へ等速回転を伝えることができるようにジョイントするものである。そして、これらの軸のうち、一方の軸には、ベアリング部品を収納するハウジング１００が設けられる。このハウジング１００は、ベアリング部品を収納できるスペースが最低限確保されれば良い。そのため、ハウジング１００は、必要以上の肉厚をなくして軽量化を図るために、トリポード形状となっている。ここで、トリポード形状とは、円形に対して円の中心点側に曲線状（円弧状）に凹んだ凹み部が等間隔に３箇所設けられた形状である。従って、ハウジング１００における軸に垂直な外周形状は、等間隔に設けられる３箇所の円弧部１０１と各円弧部１０１間にそれぞれ設けられる３箇所の凹み部１０２とを有する形状である。
【００３６】
そして、ジョイント部分には、ジョイント内部に潤滑剤（一般的には、グリース）を封じ込め、かつ、ジョイント内部への水や泥などの侵入を防ぐために、ブーツ２００が装着される。このブーツ２００は、熱可塑性エラストマーなどの熱可塑性材料によりブロー成形により成形される。このように、ブロー成形により成形されることから、ブーツ２００の肉厚は全体的に略均一となっている。このブーツ２００は、一端側がハウジング１００に固定され、他端側が他方の軸５００に固定される。ブーツ２００の一端側は、ハウジング１００に嵌合されるため、ハウジング１００の外周形状に倣った形状となっている。すなわち、ブーツ２００の一端側は、等間隔に設けられる３箇所の円弧部２０１と各円弧部２０１間にそれぞれ設けられる３箇所の凹み部２０２とを有する形状である。
【００３７】
また、入力軸と出力軸は、互いの交差角度が変化するように相対的に移動する。また、入力軸と出力軸がスライド方向に移動する構成が採用される場合もある。従って、ブーツ２００は、相対的に移動する入力軸及び出力軸に追随して、密封性能を確保する必要がある。そのため、ブーツ２００の胴体部分は、伸縮かつ揺動可能となるように蛇腹形状となっている。
【００３８】
そして、ブーツ２００とハウジング１００との固定部、及びブーツ２００と他方の軸５００との固定部においては、上記の通り、ジョイント内部に潤滑剤を封じ込めるなどの目的から、密封性能が要求される。ブーツ２００と他方の軸５００との固定部においては、円形どうしであることから、安定した密封性能を確保することは、一般的に容易である。なお、本実施例では、軸５００の外周側にブーツ２００の端部を嵌合し、更にブーツ２００の外周側にバンドを締め付けることによって、これらを固定している。これにより十分
な密封性能を得ている。
【００３９】
一方、ブーツ２００とハウジング１００との固定部においては、非円形どうしであることから、安定した密封性能を確保することは、一般的に困難である。そこで、本実施例では、ハウジング１００の外周形状及びブーツ２００の一端側の形状に適合する非円形の内周面と、略円形の外周面とを有する樹脂製のグロメット３００を、ブーツ２００の外周側に装着し、更に、グロメット３００の外周側に金属製の締め付けバンド４００を締め付ける構成を採用している。
【００４０】
＜グロメットの詳細＞
特に、図２及び図３を参照して、グロメット３００について更に詳しく説明する。上述にように、グロメット３００の外周面は略円形である。一方、グロメット３００の内周面は、ハウジング１００の外周形状及びブーツ２００の一端側の形状に適合するように、ハウジング１００の外周形状やブーツ２００の一端側の形状と略相似する形状である。従って、グロメット３００は、円弧部３０１と、ブーツ２００に設けられた凹み部２０２に嵌る３箇所の凸部３０２とを備える。また、グロメット３００には、周方向の１箇所にて分離された分離部３１０が設けられている。
【００４１】
そして、本実施例においては、分離部３１０にて分離された両端部は、それらの先端付近が平面状の平板部３０３により構成されている。すなわち、本実施例においては、隣り合う凸部３０２の間のうち、２箇所は円弧部３０１により構成されている。一方、残りの１箇所については、凸部３０２の近傍はブーツ２００の外周形状に適合するように円弧状であるが、分離部３１０にて分離された先端付近は平板部３０３により構成されている。
【００４２】
以上の構成により、本実施例に係るグロメット３００がブーツ２００の外周に装着され、かつ、締め付けバンド４００による締め付け前の状態では、分離部３１０にて分離された両端部は、それらの先端付近が先端に向かうにつれてブーツ２００の外周表面から離れることになる。従って、図３に示すように、クランプ４０１がグロメット３００の分離部３１０の近くに位置していたとしても、治具６００により締め付けバンド４００を締め付けた場合に、分離部３１０にて分離された両端部の各先端（平板部３０３の先端）がブーツ２００に対して食い込んでしまうことを抑制できる。これにより、締め付けバンド４００による締め付けによって、グロメット３００がブーツ２００に対して周方向にずれてしまうことを抑制できる。従って、グロメット３００によるブーツ２００に対する押圧力の分布のばらつきを抑制することができ、密封性能が向上する。
【００４３】
なお、本実施例においては、分離部３１０にて分離された両端部について、各先端付近を平板部３０３により構成する場合を示した。しかしながら、要は、グロメット３００がブーツ２００の外周に装着され、かつ、締め付けバンド４００による締め付け前の状態で、分離部３１０にて分離された両端部が、それらの先端付近が先端に向かうにつれてブーツ２００の外周表面から離れるように構成すればよい。従って、例えば、分離部３１０にて分離された両端部の各先端について、先端付近の曲率半径をブーツの外周面の曲率半径よりも大きくしたり、先端付近を外側に反らすように湾曲させたりする構成を採用することもできる。これらの場合でも、両端部の各先端付近を、先端に向かうにつれて、ブーツの外周表面から離れるようにすることができる。従って、これらの場合でも、締め付けバンド４００による締め付け時に、分離部３１０にて分離された両端部の各先端がブーツ２００に対して食い込んでしまうことを抑制できる。
【実施例２】
【００４４】
図４には、本発明の実施例２が示されている。本実施例においては、グロメットにおける分離部にて分離された両端部の先端の形状が実施例１とは異なる場合の例を示す。その
他の構成および作用については実施例１と同一なので、同一の構成部分については、その説明は省略する。
【００４５】
図４は本発明の実施例２に係るグロメットが締め付けられた状態を示す図である。なお、図４においては、グロメットにおける分離部にて分離された両端部のうちの一方の先端付近と、ブーツの一部のみが示されている。
【００４６】
本実施例に係るグロメット３２０においては、分離部にて分離された両端部は、それらの先端の内周面側に面取り３２１が形成されている。なお、図４に示す例では、面取り３２１をＲ面で構成する場合を示したが、Ｃ面にて構成しても良い。
【００４７】
本実施例に係るグロメット３２０によれば、分離部にて分離された両端部は、それらの先端の内周面側に面取り３２１が形成されているので、締め付けバンドによる締め付け時に、これらの先端がブーツ２００に対して食い込んでしまうことを抑制できる。従って、分離部にて分離された両端部の各先端が、ブーツ２００に対して食い込んでしまうことに起因するグロメット３２０のブーツ２００に対する周方向のずれを抑制することができる。従って、密封性能を向上させることができる。
【実施例３】
【００４８】
図５には、本発明の実施例３が示されている。本実施例においては、グロメットにおける外周面に、その表面上に複数のディンプル（凸部）を設けた場合の例を示す。また、本実施例では、分離部にて分離された両端部は従来例と同様に曲面形状で構成されている。その他の構成および作用については実施例１と同一なので、同一の構成部分については、その説明は省略する。
【００４９】
図５は本発明の実施例３に係るグロメットの斜視図である。本実施例に係るグロメット３３０は、その外周表面上に、複数のディンプル３３１が設けられている。そのため、グロメット３３０の外周面と締め付けバンドの内周面との間の接触面積が実施例１の場合に比べて少なくなるため、グロメット３３０と締め付けバンドとの摩擦力が低くなる。これにより、グロメット３３０が、締め付けバンドによる摩擦力によって引っ張られる力が抑制される。そのため、締め付けバンドによる締め付け時において、グロメット３３０の動き（回転）が円滑になる。従って、締め付けバンドによる締め付け時に、グロメット３３０の配置修正が適切に行われ、ブーツとハウジングとの接触が均一になる。従って、密封性能を向上させることができる。
【実施例４】
【００５０】
図６には、本発明の実施例４が示されている。本実施例においては、グロメットにおける外周面に、その表面上に複数のビート（凸部）を設けた場合の例を示す。また、本実施例では、分離部にて分離された両端部は従来例と同様に曲面形状で構成されている。その他の構成および作用については実施例１と同一なので、同一の構成部分については、その説明は省略する。
【００５１】
図６は本発明の実施例４に係るグロメットの斜視図である。本実施例に係るグロメット３４０は、その外周表面上に、複数のビート３４１が設けられている。そのため、グロメット３４０の外周面と締め付けバンドの内周面との間の接触面積が、実施例３と同様に実施例１の場合に比べて少なくなるため、グロメット３４０と締め付けバンドとの摩擦力が低くなる。これにより、グロメット３４０が、締め付けバンドによる摩擦力によって引っ張られる力が抑制される。そのため、締め付けバンドによる締め付け時において、グロメット３４０の動き（回転）が円滑になる。従って、締め付けバンドによる締め付け時に、グロメット３４０の配置修正が適切に行われ、ブーツとハウジングとの接触が均一になる
。従って、密封性能を向上させることができる。
【００５２】
（その他）
上記実施例１で示した構成に、実施例２で示した構成を適用した構成を採用することもできる。すなわち、上記実施例１で説明した平板部３０３の先端に、実施例２で説明した面取り３２１を設ける構成を適用することで、分離部にて分離された両端部の各先端が、ブーツに対して食い込んでしまうことを、より一層抑制することができる。
【００５３】
また、上記実施例１で示した構成に、実施例３又は実施例４で示した構成を適用した構成を採用することもできる。すなわち、上記実施例１における円弧部３０１の外周表面上に、複数（単数でも良い）のディンプル３３１やビート３４１を設ける構成を採用することで、分離部にて分離された両端部の各先端が、ブーツに対して食い込んでしまうことを、抑制すると共に、グロメットの動き（回転）を円滑にすることができる。従って、相乗効果によって、より一層、密封性能を向上させることができる。
【００５４】
更に、実施例１で示した構成に、実施例２で示した構成を適用し、かつ、実施例３又は実施例４で示した構成を適用した構成を採用することもできる。そのような構成を採用すれば、分離部にて分離された両端部の各先端が、ブーツに対して食い込んでしまうことを、飛躍的に抑制すると共に、グロメットの動き（回転）を円滑にすることができる。従って、相乗効果によって、より一層、密封性能を向上させることができる。
【図面の簡単な説明】
【００５５】
【図１】図１は等速ジョイントのジョイント部を示す斜視図である。
【図２】図２は本発明の実施例１に係るグロメットの斜視図である。
【図３】図３は本発明の実施例１に係るグロメットが締め付けられた状態を示す図である。
【図４】図４は本発明の実施例２に係るグロメットが締め付けられた状態を示す図である。
【図５】図５は本発明の実施例３に係るグロメットの斜視図である。
【図６】図６は本発明の実施例４に係るグロメットの斜視図である。
【図７】図７は従来例に係るグロメットが装着された状態を示す模式的断面図である。
【図８】図８はバンドによってグロメットが締め付けられた状態を示す図である。
【図９】図９は従来例に係るグロメットが装着された状態を示す模式的断面図である。
【図１０】図１０はバンドによってグロメットが締め付けられた状態を示す図である。
【符号の説明】
【００５６】
１００  ハウジング
１０１  円弧部
１０２  凹み部
２００  ブーツ
２０１  円弧部
２０２  凹み部
３００  グロメット
３０１  円弧部
３０２  凸部
３０３  平板部
３１０  分離部
３２０  グロメット
３３０  グロメット
３３１  ディンプル
３４０  グロメット
３４１  ビート
４００  締め付けバンド
４０１  クランプ
５００  軸
６００  治具
【図１】
2006105243.tif 000003
【図２】
2006105243.tif 000004
【図３】
2006105243.tif 000005
【図４】
2006105243.tif 000006
【図５】
2006105243.tif 000007
【図６】
2006105243.tif 000008
【図７】
2006105243.tif 000009
【図８】
2006105243.tif 000010
【図９】
2006105243.tif 000011
【図１０】
2006105243.tif 000012